(57)【要約】【課題】個人の嗜好を反映させたコンテンツ検索を可能にする。【解決手段】スマートフォン（２０）は、コンテンツと、該コンテンツを視聴したときの印象を示す情報であるとともに上記コンテンツを視聴した視聴者によって設定される情報である印象情報と、を関連付ける情報関連付部（２４２）と、上記コンテンツと関連付けられた上記印象情報を、当該コンテンツと関連付けて登録する登録処理を実行する記録処理部（２４３）と、を備え、上記印象情報が、上記コンテンツの再生と連動して動作するウェアラブル機器（１）の動作条件を示す動作条件情報に関連付けられている。【選択図】図１
2016197351.tif 000002
【特許請求の範囲】
【請求項１】
情報を登録し、登録した情報を用いて検索を行う情報登録検索装置であって、
コンテンツと、該コンテンツを視聴したときの印象を示す情報であるとともに上記コンテンツを視聴した視聴者によって設定される情報である印象情報と、を関連付ける情報関連付部と、
上記情報関連付部により上記コンテンツと関連付けられた上記印象情報を、当該コンテンツと関連付けて登録する登録処理を実行する登録処理部と、を備え、
上記印象情報が、上記コンテンツの再生と連動して動作するウェアラブル機器の動作条件を示す動作条件情報に関連付けられていることを特徴とする情報登録検索装置。
【請求項２】
上記ウェアラブル機器は、膨張および収縮可能な膨張部材と、上記膨張部材に流体を注入または排出するブロアと、上記ウェアラブル機器を装着した身体に振動を与える振動部材と、を備え、
上記動作条件情報は、上記ブロアの動作条件と、上記振動部材の動作条件とを含んでいることを特徴とする請求項１に記載の情報登録検索装置。
【請求項３】
複数のコンテンツの中から上記印象情報に関連付けられているコンテンツを検索する検索実行部と、
上記検索実行部による検索結果を表示部に表示させる制御を行う表示制御部と、を備えることを特徴とする請求項１または２に記載の情報登録検索装置。
【請求項４】
上記コンテンツに予め関連付けられるとともに該コンテンツの属性を示す属性情報を用いて、当該属性情報に関連付けられたコンテンツを検索する第１の検索方法か、上記印象情報に関連付けられているコンテンツを、当該印象情報を用いて検索する第２の検索方法か、の何れか少なくとも一方の検索方法を選択する検索方法選択部を備え、
上記検索実行部は、上記検索方法選択部が選択した検索方法によりコンテンツを検索することを特徴とする請求項３に記載の情報登録検索装置。
【請求項５】
上記登録処理部は、上記印象情報を、上記コンテンツと関連付けて外部のサーバにアップロードすることで上記登録処理を実行することを特徴とする請求項１から４までのいずれか１項に記載の情報登録検索装置。
【請求項６】
情報を登録し、登録した情報を用いて検索を行う情報登録検索方法であって、
コンテンツと、該コンテンツを視聴したときの印象を示す情報であるとともに上記コンテンツを視聴した視聴者によって設定される情報である印象情報と、を関連付ける情報関連付ステップと、
上記情報関連付ステップにより上記コンテンツと関連付けられた上記印象情報を、当該コンテンツと関連付けて登録する登録処理を実行する登録処理ステップと、を含み、
上記印象情報が、上記コンテンツの再生と連動して動作するウェアラブル機器の動作条件を示す動作条件情報に関連付けられていることを特徴とする情報登録検索方法。
【請求項７】
情報を登録し、登録した情報を用いて検索を行う情報登録検索装置を制御する制御プログラムであって、
コンテンツと、該コンテンツを視聴したときの印象を示す情報であるとともに上記コンテンツを視聴した視聴者によって設定される情報である印象情報と、を関連付ける処理と、上記コンテンツと関連付けられた上記印象情報を、当該コンテンツと関連付けて登録する登録処理を実行する処理と、をコンピュータに実行させ、
上記印象情報が、上記コンテンツの再生と連動して動作するウェアラブル機器の動作条件を示す動作条件情報に関連付けられていることを特徴とする制御プログラム。
【発明の詳細な説明】
【技術分野】
【０００１】
本発明は、情報を登録し、登録した情報を用いて検索を行う情報登録検索装置、情報登録検索方法、および上記情報登録検索装置の制御プログラムに関する。
【背景技術】
【０００２】
従来、特許文献１に開示されているように、音楽コンテンツを検索するために、楽曲の特徴を表す楽曲パラメータと付帯情報とを関連付けて記憶し、楽曲パラメータまたは付帯情報を用いて類似アーティストや楽曲に関連する情報を検索する情報処理装置がある。
【０００３】
この情報処理装置では、楽曲そのものに楽曲パラメータや付帯情報を関連付けることで、検索を実行し易くしている。また、この情報処理装置では、楽曲そのものに楽曲パラメータや付帯情報が関連付けられているため、楽曲そのものに「楽しさ」等のラベリングが付加されている。
【先行技術文献】
【特許文献】
【０００４】
【特許文献１】特開２００８−４１０４３号公報（２００８年２月２１日公開）
【発明の概要】
【発明が解決しようとする課題】
【０００５】
しかしながら、上記の従来技術においては、楽曲パラメータや付帯情報は、一端設定されると変更されることがない固定情報となっており、楽曲を聞いたときの個人の印象を表すパラメータは設定されていないという問題点がある。
【０００６】
例えば、同じ楽曲を聞いても個人により印象が様々で、同じ楽曲を聞いても、「元気になる」または「リラックスできる」など違いがあるが、上記の従来技術では、それらを表すデータベースが存在しておらず、固定情報としてのパラメータしか使用できない、画一的な検索しかできなかった。そのため、検索結果に個人の嗜好を反映させることができなかった。
【０００７】
本発明は、以上の問題点に鑑みてなされたものであり、その目的は、個人の嗜好を反映させたコンテンツ検索を可能にすることができる情報登録検索装置などを提供することにある。
【課題を解決するための手段】
【０００８】
上記の課題を解決するために、本発明の一態様に係る情報登録検索装置は、情報を登録し、登録した情報を用いて検索を行う情報登録検索装置であって、コンテンツと、該コンテンツを視聴したときの印象を示す情報であるとともに上記コンテンツを視聴した視聴者によって設定される情報である印象情報と、を関連付ける情報関連付部と、上記情報関連付部により上記コンテンツと関連付けられた上記印象情報を、当該コンテンツと関連付けて登録する登録処理を実行する登録処理部と、を備え、上記印象情報が、上記コンテンツの再生と連動して動作するウェアラブル機器の動作条件を示す動作条件情報に関連付けられていることを特徴としている。
【０００９】
また、上記の課題を解決するために、本発明の一態様に係る情報登録検索方法は、情報を登録し、登録した情報を用いて検索を行う情報登録検索方法であって、コンテンツと、該コンテンツを視聴したときの印象を示す情報であるとともに上記コンテンツを視聴した視聴者によって設定される情報である印象情報と、を関連付ける情報関連付ステップと、上記情報関連付ステップにより上記コンテンツと関連付けられた上記印象情報を、当該コンテンツと関連付けて登録する登録処理を実行する登録処理ステップと、を含み、上記印象情報が、上記コンテンツの再生と連動して動作するウェアラブル機器の動作条件を示す動作条件情報に関連付けられていることを特徴としている。
【００１０】
また、上記の課題を解決するために、本発明の一態様に係る制御プログラムは、情報を登録し、登録した情報を用いて検索を行う情報登録検索装置を制御する制御プログラムであって、コンテンツと、該コンテンツを視聴したときの印象を示す情報であるとともに上記コンテンツを視聴した視聴者によって設定される情報である印象情報と、を関連付ける処理と、上記コンテンツと関連付けられた上記印象情報を、当該コンテンツと関連付けて登録する登録処理を実行する処理と、をコンピュータに実行させ、上記印象情報が、上記コンテンツの再生と連動して動作するウェアラブル機器の動作条件を示す動作条件情報に関連付けられていることを特徴としている。
【発明の効果】
【００１１】
本発明の一態様によれば、個人の嗜好を反映させたコンテンツ検索を可能にすることができるという効果を奏する。
【図面の簡単な説明】
【００１２】
【図１】本発明の実施形態１に係る情報登録検索装置、ウェアラブル機器およびサーバの構成を示すブロック図である。
【図２】上記ウェアラブル機器がユーザの身体に装着された状態を示す断面図であり、（ａ）は、膨張部材が膨張する前におけるウェアラブル機器の状態を示し、（ｂ）は、膨張部材が膨張した後におけるウェアラブル機器の状態を示す。
【図３】上記情報登録検索装置に関し、楽曲に対して印象情報を関連付けて登録する際の設定画面のＵＩ（ユーザインターフェース）イメージを示す模式図であり、（ａ）は、新規入力の場合のＵＩイメージを示し、（ｂ）は、登録されている印象情報から選択する場合のＵＩイメージを示す。
【図４】上記情報登録検索装置に関し、楽曲検索のフローを示すフローチャートである。
【図５】上記情報登録検索装置に関し、楽曲再生のフローを示すフローチャートである。
【図６】上記情報登録検索装置に関し、楽曲データベース（以下、楽曲ＤＢと記載する）および体感データベース（以下、体感ＤＢと記載する）のそれぞれのデータ構造、ならびに各ＤＢを使用した検索による検索結果を示す図であり、（ａ）は、楽曲ＤＢのデータ構造を示し、（ｂ）は、体感ＤＢのデータ構造を示し、（ｃ）は、楽曲ＤＢのみを用いた場合の検索結果を示し、（ｄ）は、体感ＤＢのみを用いた場合の検索結果を示し、（ｅ）は、楽曲ＤＢと体感ＤＢとを兼用した場合の検索結果を示す。
【発明を実施するための形態】
【００１３】
本発明の実施の形態について図１〜図６に基づいて説明すれば、次の通りである。以下、説明の便宜上、特定の実施形態にて説明した構成と同一の機能を有する構成については、同一の符号を付記し、その説明を省略する場合がある。
【００１４】
〔実施形態１〕
まず、図１および図２に基づき、本発明の実施形態１に係るウェアラブル機器１、スマートフォン（情報登録検索装置）２０、およびサーバ３０について説明する。図１は、ウェアラブル機器１、スマートフォン２０、およびサーバ３０の構成を示すブロック図である。図２は、ウェアラブル機器１がユーザの腕（身体）１０に装着された状態を示す断面図である。図２の（ａ）は、エアバック（膨張部材）３が膨張する前におけるウェアラブル機器１の状態を示し、図２の（ｂ）は、エアバック３が膨張した後におけるウェアラブル機器１の状態を示す。以下の説明において、ウェアラブル機器１は、ユーザの腕（手首）に装着可能な腕輪型の機器として説明する。なお、ウェアラブル機器１は、ユーザの足首に装着可能な足輪（アンクレット）型、ヘッドフォン型、ヘッドバンド型、指輪型等のユーザの身体に装着可能な機器全般であってもよい。
【００１５】
（ウェアラブル機器１）
図１および図２に示すように、ウェアラブル機器１は、バンド２、エアバック３、マイクロブロア（ブロア）４、センサ５、振動部（振動部材）６、制御部７、記憶部８、通信部９、および電池１１を備えている。図２に示すバンド２は、ユーザの身体である腕１０にウェアラブル機器１を保持するものである。バンド２の内側（ウェアラブル機器１を装着したユーザの腕１０と接触する側）には、エアバック３、マイクロブロア４、センサ５および振動部６が配置されている。
【００１６】
エアバック３は、膨張および収縮可能な袋状の部材であり、エアバック３内に流体（例えば空気）が注入されることにより膨張し、エアバック３内から流体が排出することにより収縮する。マイクロブロア４は、エアバック３内に流体を注入し、またはエアバック３内から流体を排出するものである。例えば、マイクロブロア４は、センサ５による検出結果に応じてエアバック３内にある流体の量を調節する。センサ５は、ウェアラブル機器１を装着しているユーザの腕（身体）１０と振動部６との密着度を検出するものであり、例えば、センサ５はエアバック３の内部における圧力値を検出する圧力センサである。
【００１７】
振動部６は、ユーザの腕１０に振動を与えるものである。振動部６は、図２に示すように、腕１０を挟んでエアバック３の反対側の位置に配置されている。振動部６の個数は、複数であってもよいし、１つであってもよい。振動部６が複数個である場合、複数の振動部６は互いに振動を与えない程度に離れて配置されている。
【００１８】
図２の（ａ）は、エアバック３が膨張する前におけるウェアラブル機器１を示す断面図である。図２の（ａ）に示すように、バンド２は、腕１０の外周に対してゆとりのある長さを有しているため、振動部６と腕１０との間に隙間が生じている。例えば、ユーザがウェアラブル機器１を腕１０に装着した直後において、ウェアラブル機器１は、図２の（ａ）に示す状態にある。
【００１９】
図２の（ｂ）は、エアバック３が膨張した後におけるウェアラブル機器１を示す断面図である。図２の（ｂ）に示すように、エアバック３は、図２の（ａ）に示すエアバック３の状態から膨張している。このため、振動部６は腕１０と密着している状態である。それゆえ、振動部６が振動する場合、振動部６の振動は腕１０に確実に伝わるという効果を奏する。
【００２０】
なお、振動部６は、振動部６と腕１０とが密着している場合に振動する。また、図２の（ｂ）に示すように振動部６と腕１０とが密着している状態であれば、エアバック３は、マイクロブロア４によりエアバック３内の流体の量が調節されることにより、膨張または収縮してもよい。このため、ウェアラブル機器１は、振動部６による振動をエアバック３の膨張に応じた強さでユーザに体感させる構成である。
【００２１】
次に、図１に示す制御部７は、ブロア・振動部制御部７１を備えており、ブロア・振動部制御部７１は、通信部９を介して、後述するスマートフォン２０から体感ファイルを受信する。ブロア・振動部制御部７１が受信した体感ファイルは、記憶部８に一時的に記憶される。体感ファイルは、マイクロブロア４および振動部６のそれぞれの動作条件に係る動作条件情報を含んでいる。また、上記動作条件情報は、マイクロブロア４の動作条件、および振動部６の動作条件を含んでいる。例えば、振動部６による振動のタイミング、エアバック３の膨張・収縮のタイミング、およびエアバック３の膨張・収縮の程度は、上記体感ファイルに含まれる動作条件情報によって決定される。電池１１は、ウェアラブル機器１に対して電力を供給している。以上により、ウェアラブル機器１のマイクロブロア４および振動部６の動作条件を変更することにより、身体に装着したウェアラブル機器１によって得られる体感を変更することができる。
【００２２】
（スマートフォン２０、サーバ３０）
次に、図１に示すようにスマートフォン２０は、入力部２１、通信部２２、再生部２３、制御部２４、表示部２５、楽曲ＤＢ２６、体感ＤＢ２７、および記憶部２８を備える。
【００２３】
入力部２１は、ユーザによる入力操作（音声入力も含む）を受付け、入力信号に変換して制御部２４に送信する。通信部２２は、上述したウェアラブル機器１や、後述するサーバ３０と通信を行う。再生部２３は、各種のコンテンツを再生するものであり、再生部２３によって再生されるコンテンツとしては、例えば、音楽（楽曲）コンテンツ、映画コンテンツ、インターネットで配信される動画コンテンツ〔例えば、YOUTUBE（登録商標）など〕、およびＴＶ放送コンテンツなどを挙示することができる。
【００２４】
次に、図１に示すように、制御部２４は、例えば、ＣＰＵ（Central Processing Unit）で構成され、登録処理部２４１、検索処理部２４４、ブロア・振動部制御部２４７、音声解析部２４８、および表示制御部２４９を備える。
【００２５】
登録処理部２４１は、登録処理を実行するものであり、情報関連付部２４２および記録処理部（登録処理部）２４３を備える。情報関連付部２４２は、コンテンツと印象情報とを関連付ける処理を行い、例えば、コンテンツと印象情報との対応関係を規定したテーブル情報などを生成する。ここで、印象情報とは、コンテンツを視聴したときの印象を示す情報であるとともにコンテンツを視聴した視聴者によって設定される情報のことである。より具体的には、印象情報の例としては、コンテンツを視聴したときに視聴者が感じる「高揚感」、「リラックス感」、「軽快感」、「悲しみ」、および「不安感」などを挙示することができる。
【００２６】
記録処理部２４３は、印象情報をコンテンツと関連付けて体感ＤＢ（記憶部）２７に記憶させることで登録処理を実行する。これにより、体感ＤＢ２７に記録された印象情報を読み出すことにより、個人の嗜好を反映させたコンテンツ検索が可能になる。
【００２７】
また、記録処理部２４３は、通信部２２を介して、印象情報をコンテンツと関連付けて外部のサーバ３０にアップロードすることで上記登録処理を実行しても良い。これにより、サーバ３０にアップロードされた印象情報をダウンロードすることにより、個人の嗜好を反映させたコンテンツ検索が可能になる。このため、サーバ３０と通信可能に構成された複数の情報登録検索装置による情報共有が可能になる。
【００２８】
登録処理部２４１によれば、印象情報をコンテンツと関連付けて登録することができる。このため、個人の嗜好に合わせて印象情報を設定し、印象情報をコンテンツと関連付けて登録することにより、個人の嗜好が反映された印象情報を用いてコンテンツを検索することが可能になる。よって、個人の嗜好を反映させたコンテンツ検索が可能になる。
【００２９】
次に、検索処理部２４４は、検索処理を実行するものであり、検索種別選択部（検索方法選択部）２４５および検索実行部２４６を備える。検索種別選択部２４５は、ユーザの指示に基づき、第１の検索方法か第２の検索方法かの何れか少なくとも一方の検索方法を選択するものである。第１の検索方法は、コンテンツに予め関連付けられるとともに該コンテンツの属性を示す属性情報を用いて、当該属性情報に関連付けられたコンテンツを検索する方法であり、上述した楽曲パラメータによる検索のような個人の嗜好が反映されない画一的な検索方法である。第２の検索方法は、印象情報に関連付けられているコンテンツを、当該印象情報を用いて検索する方法であり、個人の嗜好を反映させることが可能な検索方法である。
【００３０】
検索実行部２４６は、複数のコンテンツの中から上記印象情報に関連付けられているコンテンツを検索する検索処理を実行するものである。また、検索実行部２４６は、検索種別選択部２４５が選択した検索方法によりコンテンツを検索する。これにより、個人の嗜好が反映されない画一的な第１の検索方法と、個人の嗜好を反映させることが可能な第２の検索方法と、のどちらか少なくとも一方の検索方法によりコンテンツを検索することができる。よって、検索方法のバリエーションを増加させることができる。ブロア・振動部制御部２４７は、記憶部２８から体感ファイルを読み出し、読み出した体感ファイルを、通信部２２を介して、ウェアラブル機器１に送信する制御を行う。
【００３１】
音声解析部２４８は、再生部２３が再生するコンテンツに含まれる音声を解析し、周波数が所定の範囲内で、所定の音圧レベルを上回った際にエアバック３を膨張させて手首に圧迫感を与え、所定の音圧レベルを下回った際にエアバック３を収縮させて、手首の圧迫感をなくす動作条件に関する動作条件情報を体感ファイルに記録して記憶部２８に記録する処理を実行する。また、音声解析部２４８は、再生部２３が再生するコンテンツに含まれる音声を解析し、周波数が所定の範囲内で、所定の音圧レベルを上回った際に所定の時間、振動部６を振動させ、上述した周波数とは別の周波数で所定の音圧レベルを上回った際にエアバック３を膨張させて手首に圧迫感を与え、所定の音圧レベルを下回った際にエアバック３を収縮させて、手首の圧迫感をなくす動作条件に関する動作条件情報を体感ファイルに記録して記憶部２８に記録する処理を実行する。
【００３２】
表示制御部２４９は、表示部２５に画像等を表示させる制御を行うものであり、楽曲に対して印象情報をラベルするときの設定画面のＵＩ（ユーザインターフェース）イメージを表示部２５に表示させたり、検索実行部２４６による検索結果を表示部２５に表示させたりする制御を行う。これにより、個人の嗜好を反映させたコンテンツ検索による検索結果を表示部２５に表示させることができる。
【００３３】
（設定画面のＵＩイメージ）
次に、図３に基づき、楽曲（コンテンツ：ＭＵＳＩＣ１）に対して印象情報を関連付けて登録する際の設定画面のＵＩ（ユーザインターフェース）イメージについて説明する。図３は、楽曲に対して印象情報を関連付けて登録する際の設定画面のＵＩイメージを示す模式図である。図３の（ａ）は、新規入力の場合のＵＩイメージを示す。印象情報を新規に登録する場合、同図に示すように、ラベルの欄にユーザが印象情報を入力する。次に、図３の（ｂ）は、登録されている印象情報から選択する場合のＵＩイメージを示す。楽曲に関連付けて既に幾つかの印象情報が登録されている場合、同図に示すように、複数の印象情報（リラックス、軽快、悲しみ、不安）の中から、楽曲に関連付けたい印象情報を選択する。以上の楽曲と印象情報との関連付けの結果は、登録処理部２４１の情報関連付部２４２に通知され、これに基づき、楽曲と印象情報との対応関係を規定したテーブル情報などが生成される。
【００３４】
（楽曲検索のフロー）
次に、図４に基づき、スマートフォン２０における楽曲検索のフローについて説明する。図４は、楽曲検索のフローを示すフローチャートである。
【００３５】
ステップＳ１０１（以下、「ステップ」を省略する）では、楽曲検索を開始し、検索用「キー」を入力して、Ｓ１０２に進む。Ｓ１０２では、検索種別選択部２４５が、楽曲検索（楽曲ＤＢを利用した検索：第１の検索方法）指示があったか否かを確認し、楽曲検索指示があった場合は、検索種別として楽曲ＤＢを利用した検索を選択し、検索実行部２４６に通知して、Ｓ１０３に進む。一方、楽曲検索指示がなかった場合は、Ｓ１０７に進む。
【００３６】
Ｓ１０３では、検索実行部２４６が、楽曲ＤＢから、検索キーを使用した検索結果を生成して、Ｓ１０４に進む。Ｓ１０４では、検索種別選択部２４５が、体感ＤＢ検索（体感ＤＢを利用した検索：第２の検索方法）指示があったか否かを確認し、体感ＤＢ検索指示があった場合は、検索種別として体感ＤＢを利用した検索を選択し、検索実行部２４６に通知して、Ｓ１０５に進む。一方、体感ＤＢ検索指示がなかった場合は、Ｓ１０８に進む。
【００３７】
Ｓ１０５では、検索実行部２４６が、体感ＤＢから、検索キーを使用した検索結果を生成して、Ｓ１０６に進む。Ｓ１０６では、検索実行部２４６が楽曲ＤＢの検索結果と、体感ＤＢの検索結果とに基づき、楽曲ＤＢと体感ＤＢとを兼用した場合の検索結果を反映したリストを作成し、表示制御部２４９に渡して、Ｓ１０９に進む。
【００３８】
Ｓ１０９では、表示制御部２４９が、表示部２５に検索結果のリストを表示して、ＥＮＤとなる。
【００３９】
Ｓ１０７では、検索種別選択部２４５が、体感ＤＢ検索（体感ＤＢを利用した検索：第２の検索方法）指示があったか否かを確認し、体感ＤＢ検索指示があった場合は、検索種別として体感ＤＢを利用した検索を選択し、検索実行部２４６に通知して、Ｓ１１０に進む。一方、体感ＤＢ検索指示がなかった場合は、ＥＮＤとなる。
【００４０】
Ｓ１０８では、検索実行部２４６が楽曲ＤＢの検索結果のみを反映したリストを作成し、表示制御部２４９に渡してＳ１０９に進む。Ｓ１１０では、検索実行部２４６が体感ＤＢの検索結果のみを反映したリストを作成し、表示制御部２４９に渡してＳ１０９に進む。
【００４１】
（楽曲再生のフロー）
次に、図５に基づき、楽曲再生のフローについて説明する。図５は、スマートフォン２０（およびウェアラブル機器１）における楽曲再生のフローを示すフローチャートである。本実施形態では、上述した楽曲検索のフローにて表示部２５に表示された検索結果のリストに含まれる楽曲の中からユーザが選択することによって、選択された楽曲の再生が実行されるものとして説明する。
【００４２】
Ｓ２０１では、楽曲の再生操作を行って、再生部２３に楽曲を再生させ、Ｓ２０２に進む。Ｓ２０２では、ブロア・振動部制御部２４７が、再生開始状態を取得してＳ２０３に進む。
【００４３】
Ｓ２０３では、ブロア・振動部制御部２４７が再生中の楽曲に体感設定があるか否かを確認し、楽曲に体感設定があった場合は、Ｓ２０４に進む。一方、再生中の楽曲に体感設定がない場合、「ＥＮＤ」となる。ここで、体感設定がある場合とは、上記楽曲検索のフローにて体感ＤＢ検索が行われ、楽曲と印象情報との関連付けが行われており、さらに印象情報が、上記楽曲の再生と連動して動作するウェアラブル機器１の動作条件を示す動作条件情報（または該動作条件情報が規定された体感ファイル）に関連付けられている場合のことである。なお、印象情報と動作条件情報との関連付けの具体例については後述する。
【００４４】
Ｓ２０４では、ブロア・振動部制御部２４７が再生中の楽曲（およびその印象情報）に関連付けられている体感ファイルを読み込んでＳ２０５に進む。Ｓ２０５では、音声解析部２４８が、音声出力を受信して、Ｓ２０６に進む。Ｓ２０６で、ブロア・振動部制御部２４７が、楽曲の再生時間がブロア・振動部操作時間に到達したか否かを確認し、到達した場合は、Ｓ２０７に進む。Ｓ２０７では、ブロア・振動部制御部２４７が通信部２２を介してウェアラブル機器１にブロア・振動部制御信号を送信してＥＮＤとなる。
【００４５】
（楽曲ＤＢ・体感ＤＢのデータ構造および検索結果の例）
次に、図６に基づき、楽曲データベース（以下、楽曲ＤＢと記載する）および体感データベース（以下、体感ＤＢと記載する）のそれぞれのデータ構造、ならびに各ＤＢを使用した検索による検索結果について説明する。図６は、楽曲ＤＢおよび体感ＤＢのそれぞれのデータ構造、ならびに各ＤＢを使用した検索による検索結果を示す図である。
【００４６】
図６の（ａ）は、楽曲ＤＢのデータ構造を示す。同図に示すように、楽曲ＤＢでは、楽曲名、アーティスト、テンポ、およびイメージが関連付けられている。例えば、１列目では、楽曲名「Ａ」に対して、アーティスト「ｐ」、テンポ「ｖ」およびイメージ「高揚」の各パラメータが関連付けられている様子が示されている。これらの各パラメータは、一端設定されると変更されることがない固定情報となっている。
【００４７】
一方、図６の（ｂ）は、体感ＤＢのデータ構造を示す。同図に示すように、体感ＤＢでは、楽曲名、体感、ブロア、および振動部が関連付けられている。例えば、１列目では、楽曲名「Ａ」に対して、体感「悲しみ」、ブロア「ａ」および振動部「ｅ」の各パラメータが関連付けられている様子が示されている。体感「悲しみ」のパラメータは、上述した印象情報であり、楽曲を聴いたときの印象を示す情報であるとともに楽曲を聴いたユーザによって設定される情報の例である。一方、ブロア「ａ」および振動部「ｅ」の各パラメータは、楽曲の再生と連動して動作するウェアラブル機器１（マイクロブロア４および振動部６）の動作条件を示す動作条件情報の例である。上記のデータ構造によれば、同じ楽曲でも印象情報およびそれと関連付けられた動作条件情報を変更することにより、身体に装着したウェアラブル機器１によって得られる体感を変更することができる。
【００４８】
次に、図６の（ｃ）〜（ｅ）に基づき、楽曲ＤＢおよび体感ＤＢの何れか少なくとも一方を使用した検索による検索結果について説明する。図６の（ｃ）は、楽曲ＤＢのみを用いた場合の検索結果を示す。ここでは、検索キーとして「リラックス」が選択された場合について説明する。図６の（ａ）に示す楽曲ＤＢでは、イメージ「リラックス」と関連付けられている楽曲は、「Ｂ」と「Ｅ」であるため、図６の（ｃ）に示す検索結果は、「Ｂ、Ｅ」となっている。次に、図６の（ｂ）に示す体感ＤＢでは、体感「リラックス」と関連付けられている楽曲は、「Ｂ」と「Ｃ」であるため、図６の（ｄ）に示す検索結果は、「Ｂ、Ｃ」となっている。
【００４９】
次に、以上の楽曲ＤＢによる検索と体感ＤＢによる検索とを兼用した場合、図６の（ａ）に示す楽曲ＤＢでイメージ「リラックス」と関連付けられ、かつ、図６の（ｂ）に示す体感ＤＢで体感「リラックス」と関連付けられている楽曲は、「Ｂ」のみである。このため、図６の（ｅ）に示す検索結果は、「Ｂ」となっている。
【００５０】
以上のように、本実施形態では、楽曲ＤＢに加え、印象情報を介して個人の嗜好を反映することが可能な体感ＤＢを作成し、楽曲ＤＢと組み合わせることにとより、個人の嗜好を反映させることができる。例えば、同じ楽曲であっても、体感ファイルのパラメータにラベリングを行うことにより、「元気にする」、「リラックス」する等の目的・用途に応じてユーザの受ける体感を変えることができる。
【００５１】
また、楽曲に固定情報として設定されたパラメータと独立で設定できる体感パラメータにより、次の効果が期待できる。
（１）ユーザが体感ファイルを作成し、ラベリングすることにより、同じ楽曲であっても、得る体感を変更することができる。
（２）体感ファイルを作成・共有することにより、ユーザ間でのデータシェアができる。
（３）体感ファイルにラベリングしたパラメータを検索することにより、楽曲に固定情報として設定されたパラメータと独立したプレイリストの作成ができる。
【００５２】
また、上述した本実施形態の検索方法によれば、個人の嗜好を反映した楽曲検索が可能となり、従来の画一的な検索結果とは違う、嗜好内容が反映されたバリエーションが増加した検索結果が得られる。
【００５３】
〔実施形態２〕
スマートフォン２０の制御ブロック（特に情報関連付部２４２、記録処理部２４３、検索種別選択部２４５および検索実行部２４６）は、集積回路（ＩＣチップ）等に形成された論理回路（ハードウェア）によって実現してもよいし、ＣＰＵ（Central Processing Unit）を用いてソフトウェアによって実現してもよい。
【００５４】
後者の場合、スマートフォン２０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５５】
〔まとめ〕
本発明の態様１に係る情報登録検索装置は、情報を登録し、登録した情報を用いて検索を行う情報登録検索装置（スマートフォン２０）であって、コンテンツと、該コンテンツを視聴したときの印象を示す情報であるとともに上記コンテンツを視聴した視聴者によって設定される情報である印象情報と、を関連付ける情報関連付部（２４２）と、上記情報関連付部により上記コンテンツと関連付けられた上記印象情報を、当該コンテンツと関連付けて登録する登録処理を実行する登録処理部（記録処理部２４３）と、を備え、上記印象情報が、上記コンテンツの再生と連動して動作するウェアラブル機器（１）の動作条件を示す動作条件情報に関連付けられている構成である。
【００５６】
上記構成によれば、印象情報をコンテンツと関連付けて登録することができる。ここで、印象情報とは、コンテンツを視聴したときの印象を示す情報であるとともにコンテンツを視聴した視聴者によって設定される情報のことである。このため、個人の嗜好に合わせて印象情報を設定し、印象情報をコンテンツと関連付けて登録することにより、個人の嗜好が反映された印象情報を用いてコンテンツを検索することが可能になる。よって、個人の嗜好を反映させたコンテンツ検索が可能になる。また、上記構成によれば、同じコンテンツでも印象情報およびそれと関連付けられた動作条件情報を変更することにより、身体に装着したウェアラブル機器によって得られる体感を変更することができる。
【００５７】
本発明の態様２に係る情報登録検索装置は、上記態様１において、上記ウェアラブル機器は、膨張および収縮可能な膨張部材と、上記膨張部材に流体を注入または排出するブロアと、上記ウェアラブル機器を装着した身体に振動を与える振動部材と、を備え、上記動作条件情報は、上記ブロアの動作条件と、上記振動部材の動作条件とを含んでいても良い。上記構成によれば、ウェアラブル機器のブロアおよび振動部の動作条件を変更することにより、身体に装着したウェアラブル機器によって得られる体感を変更することができる。
【００５８】
本発明の態様３に係る情報登録検索装置は、上記態様１または２において、複数のコンテンツの中から上記印象情報に関連付けられているコンテンツを検索する検索実行部と、上記検索実行部による検索結果を表示部に表示させる制御を行う表示制御部と、を備えることが好ましい。上記構成によれば、個人の嗜好を反映させたコンテンツ検索による検索結果を表示部に表示させることができる。
【００５９】
本発明の態様４に係る情報登録検索装置は、上記態様３において、上記コンテンツに予め関連付けられるとともに該コンテンツの属性を示す属性情報を用いて、当該属性情報に関連付けられたコンテンツを検索する第１の検索方法か、上記印象情報に関連付けられているコンテンツを、当該印象情報を用いて検索する第２の検索方法か、の何れか少なくとも一方の検索方法を選択する検索方法選択部を備え、上記検索実行部は、上記検索方法選択部が選択した検索方法によりコンテンツを検索しても良い。
【００６０】
上記構成によれば、個人の嗜好が反映されない画一的な第１の検索方法と、個人の嗜好を反映させることが可能な第２の検索方法と、のどちらか少なくとも一方の検索方法によりコンテンツを検索することができる。ここで、第１の検索方法は、コンテンツに予め関連付けられるとともにコンテンツの属性を示す属性情報を用いて、当該属性情報に関連付けられたコンテンツを検索する方法である。一方、第２の検索方法は、印象情報に関連付けられているコンテンツを、当該印象情報を用いて検索する方法である。よって、検索方法のバリエーションを増加させることができる。
【００６１】
本発明の態様５に係る情報登録検索装置は、上記態様１〜４の何れかにおいて、上記登録処理部は、上記印象情報を、上記コンテンツと関連付けて外部のサーバにアップロードすることで上記登録処理を実行しても良い。上記構成によれば、サーバにアップロードされた印象情報をダウンロードすることにより、個人の嗜好を反映させたコンテンツ検索が可能になる。このため、サーバと通信可能に構成された複数の情報登録検索装置による情報共有が可能になる。
【００６２】
本発明の態様６に係る情報登録検索方法は、情報を登録し、登録した情報を用いて検索を行う情報登録検索方法であって、コンテンツと、該コンテンツを視聴したときの印象を示す情報であるとともに上記コンテンツを視聴した視聴者によって設定される情報である印象情報と、を関連付ける情報関連付ステップと、上記情報関連付ステップにより上記コンテンツと関連付けられた上記印象情報を、当該コンテンツと関連付けて登録する登録処理を実行する登録処理ステップと、を含み、上記印象情報が、上記コンテンツの再生と連動して動作するウェアラブル機器の動作条件を示す動作条件情報に関連付けられている方法である。上記方法によれば、上記態様１と同様の効果が得られる。
【００６３】
本発明の態様７に係る制御プログラムは、情報を登録し、登録した情報を用いて検索を行う情報登録検索装置を制御する制御プログラムであって、コンテンツと、該コンテンツを視聴したときの印象を示す情報であるとともに上記コンテンツを視聴した視聴者によって設定される情報である印象情報と、を関連付ける処理と、上記コンテンツと関連付けられた上記印象情報を、当該コンテンツと関連付けて登録する登録処理を実行する処理と、をコンピュータに実行させ、上記印象情報が、上記コンテンツの再生と連動して動作するウェアラブル機器の動作条件を示す動作条件情報に関連付けられているプログラムである。上記プログラムによれば、上記態様１と同様の効果が得られる。
【００６４】
〔付記情報〕
本発明の各態様に係る情報登録検索装置は、コンピュータによって実現してもよく、この場合には、コンピュータを上記情報登録検索装置が備える各部（ソフトウェア要素）として動作させることにより上記情報登録検索装置をコンピュータにて実現させる情報登録検索装置の制御プログラム、およびそれを記録したコンピュータ読み取り可能な記録媒体も、本発明の範疇に入る。
【００６５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６６】
本発明は、情報を登録し、登録した情報を用いて検索を行う情報登録検索装置、情報登録検索方法、および上記情報登録検索装置の制御プログラムに利用することができる。
【符号の説明】
【００６７】
１  ウェアラブル機器
４  マイクロブロア（ブロア）
３  エアバック（膨張部材）
６  振動部（振動部材）
２０  スマートフォン（情報登録検索装置）
２７  体感ＤＢ（記憶部）
３０  サーバ
２４２  情報関連付部
２４３  記録処理部（登録処理部）
２４５  検索種別選択部（検索方法選択部）
２４６  検索実行部
２４９  表示制御部
【図１】
2016197351.tif 000003
【図２】
2016197351.tif 000004
【図３】
2016197351.tif 000005
【図４】
2016197351.tif 000006
【図５】
2016197351.tif 000007
【図６】
2016197351.tif 000008